(57)【要約】【課題】部分的な脱水不足の解消をしつつ十分かつ均一な脱水性を得ると共に、繊維支持性、表面平滑性に優れた織物を提供する。【解決手段】連続配置する４本の上面側緯糸が存在し、連続配置する３本の経糸がそれぞれ第２、第３、第２上面側緯糸の上の順に緯糸１本分のナックルを形成し、第２上面側緯糸と第３上面側緯糸とが離れる離間部を形成し、当該離間部の両側では、第２と第３上面側緯糸の両方が２本以上の経糸の上を通るフロート部を形成し、当該フロート部間に、１本の経糸が第２と第３上面側緯糸の上を続けて通り、その片側隣又は両側隣の１本又は２本の経糸は第２又は第３上面側緯糸の上を通る組織とすることにより、第２と第３上面側緯糸が寄り集まる寄集部を形成し、前記離間部における第２と第３上面側緯糸を経方向から挟持する位置に、第１及び第４上面側緯糸を複数本の結糸の上を通るように配置したクリンプ部を形成した二層織物である。【選択図】図２
2010126848.tif 000002
【特許請求の範囲】
【請求項１】
上面側緯糸と織り合わせる上面側経糸、下面側緯糸と織り合わせる下面側経糸、上層と下層を織り合わせる接結糸から構成された二層織物において、
連続配置する第１上面側緯糸、第２上面側緯糸、第３上面側緯糸、第４上面側緯糸が存在し、連続配置する３本の経糸がそれぞれ第２上面側緯糸の上、第３上面側緯糸の上、第２上面側緯糸の上の順に緯糸１本分のナックルを形成する組織とすることにより、第２上面側緯糸と第３上面側緯糸とが離れる離間部を形成し、
当該離間部の両側では、第２上面側緯糸と第３上面側緯糸の両方が２本以上の上面側経糸又は経糸接結糸の上を通るフロート部を形成し、
当該フロート部間に、１本の経糸が第２上面側緯糸と第３上面側緯糸の上を続けて通り、その片側又は両側隣の１本又は２本の経糸は第２上面側緯糸又は第３上面側緯糸のどちらか一方の上を通る組織とすることにより、第２上面側緯糸と第３上面側緯糸が寄り集まる寄集部を形成し、
前記離間部における第２上面側緯糸と第３上面側緯糸を縦方向から挟持する位置に、第１上面側緯糸及び第４上面側緯糸を複数本の上面側経糸又は経糸接結糸の上を通るように配置したクリンプ部を形成したことを特徴とする、工業用二層織物。
【請求項２】
前記接結糸が、１本若しくは２本組になった経糸接結糸又は１本若しくは２本組になった緯糸接結糸によって織り合わされてなることを特徴とする、請求項１に記載の工業用二層織物。
【請求項３】
前記離間部を形成する連続配置する３本の経糸が、上面側経糸のみ、経糸接結糸のみ、又は上面側経糸及び経糸接結糸との組み合わせ、のいずれか一であることを特徴とする、請求項１又は２に記載の工業用二層織物。
【請求項４】
前記上面側緯糸が、第１上面側緯糸、第２上面側緯糸、第３上面側緯糸、第４上面側緯糸の連続配置のみの繰り返しからなることを特徴とする、請求項１乃至３のいずれか一に記載された工業用二層織物。
【請求項５】
前記第４上面側緯糸と経方向に配置された次の第１上面側緯糸の間に１本の第５上面側緯糸又は複数本の上面側緯糸を配置してなることを特徴とする、請求項１乃至３のいずれか一に記載された工業用二層織物。
【発明の詳細な説明】
【技術分野】
【０００１】
本発明は、均一なろ水性、脱水性、通気性、搬送物の支持性等を必要とする製紙用や不織布製造用等に好適に用いられる工業用二層織物に関する。
【背景技術】
【０００２】
従来から工業用織物としては、経糸、緯糸で製織したものが広く使用されている。例えば製紙用織物や搬送用ベルト、ろ布等があり、用途や使用環境に適した織物特性が要求されている。中でも織物の網目を利用して原料の脱水等を行う製紙工程で使用される抄紙用織物における要求特性は特に厳しい。
かかる織物の要求特性としては、支持される紙に対して織物のワイヤーマークが転写しにくい表面平滑性に優れた織物、また原料に含まれる余分な水分を十分且つ均一に脱水するための脱水性、過酷な環境下でも好適に使用できる程度の剛性、耐摩耗性、そして良好な紙を製造するために必要な条件を長期間持続することが要求されている。その他にも繊維支持性、製紙の歩留まりの向上、寸法安定性、走行安定性等が要求される。さらに近年では抄紙マシンの高速化に伴い、抄紙用織物への要求特性も一段と厳しいものとなっている。
【０００３】
ここで、工業用織物の中でも最も要求が厳しい抄紙用織物について説明すれば、ほとんどの工業用織物の要求とその解決について理解することができる。そこで、抄紙用織物を一例に挙げて以下に説明する。
【０００４】
近年ではマシンの高速化に伴い、特に優れた脱水性、表面平滑性が要求されている。マシンや抄造物によって求められる脱水特性は異なっているが、どんな抄造物であっても均一な脱水性、繊維支持性は必須条件である。また、近年では微細繊維が多く混在する故紙の利用も増えたため、繊維支持性が重要視されると共に、微細繊維によるシート形成では脱水性が低下するため脱水性に優れた織物も要求されていた。
一般的に製紙用織物では、織物の網目を利用して遠心、プレス脱水等が行われているが、十分な脱水性を得るために網の裏面から吸引脱水もされており、繊維支持性、脱水性といった要求特性が操業性やランニングコストに大きな影響を与えている。
【０００５】
製紙用原料はヘッドボックスから走行しているワイヤー上に供給されるため、縦に配向している繊維が多い。それ故、繊維支持性を向上させるには表面を微細にし、且つ緯糸ロングクリンプ構造の織物にするとよい。これは縦配向の繊維を経糸ロングクリンプ構造の織物で受ければ経糸の間から繊維が抜け落ちてしまう傾向に鑑みたものである。
【０００６】
また、繊維支持性と脱水性の両方の要求特性を満たすための織物が特許文献１に示されている。
この織物は緯糸間に小径の付加緯糸を配置したもので、特許文献１中における図８には、斜め横方向に伸びる付加緯糸を配置した織物表面の平面図が示されている。この織物は緯糸間に小径の付加緯糸が存在しているため、表面平滑性、繊維支持性、脱水性に優れた織物といえる。しかし、網目空間が確保されている部分もあるが、緯糸と付加緯糸が寄り集まっている部分もある。かかる糸が集まっている部分では十分な脱水が得られず、紙の厚薄斑が生じてしまうことがあった。
【特許文献１】米国特許５，６４１，００１号公報
【発明の開示】
【発明が解決しようとする課題】
【０００７】
本発明は、部分的な脱水不足の解消をしつつ十分かつ均一な脱水性を得ると共に、繊維支持性、表面平滑性に優れた工業用二層織物を提供することを目的とする。
【課題を解決するための手段】
【０００８】
本発明の工業用多層織物の最大の特徴は、隣接する緯糸同士が離れる離間部と、寄り合う寄集部を横方向に交互に有する織物であり、糸同士が集まる寄集部であっても経糸、緯糸の高低差があるため斜め方向の立体空間（脱水空間）が形成される構造の織物であり、それにより緯糸の打ち込み本数を増やすことができるため、表面性、繊維支持性も向上する。
【０００９】
すなわち、本発明者は上記課題を解決するために以下の構成を採用した。
（１）上面側緯糸と織り合わせる上面側経糸、下面側緯糸と織り合わせる下面側経糸、上層と下層を織り合わせる接結糸から構成された二層織物において、連続配置する第１上面側緯糸、第２上面側緯糸、第３上面側緯糸、第４上面側緯糸が存在し、連続配置する３本の経糸がそれぞれ第２上面側緯糸の上、第３上面側緯糸の上、第２上面側緯糸の上の順に緯糸１本分のナックルを形成する組織とすることにより、第２上面側緯糸と第３上面側緯糸とが離れる離間部を形成し、当該離間部の両側では、第２上面側緯糸と第３上面側緯糸の両方が２本以上の上面側経糸又は経糸接結糸の上を通るフロート部を形成し、当該フロート部間に、１本の経糸が第２上面側緯糸と第３上面側緯糸の上を続けて通り、その片側又は両側隣の１本又は２本の経糸は第２上面側緯糸又は第３上面側緯糸のどちらか一方の上を通る組織とすることにより、第２上面側緯糸と第３上面側緯糸が寄り集まる寄集部を形成し、前記離間部における第２上面側緯糸と第３上面側緯糸を縦方向から挟持する位置に、第１上面側緯糸及び第４上面側緯糸を複数本の上面側経糸又は経糸接結糸の上を通るように配置したクリンプ部を形成したことを特徴とする工業用二層織物である。
【００１０】
（２）前記接結糸が、１本若しくは２本組になった経糸接結糸又は１本若しくは２本組になった緯糸接結糸によって織り合わされてなることを特徴とする上記（１）に記載の工業用二層織物である。
（３）前記離間部を形成する連続配置する３本の経糸が、上面側経糸のみ、経糸接結糸のみ、又は上面側経糸及び経糸接結糸との組み合わせ、のいずれか一であることを特徴とする上記（１）又は（２）に記載の工業用二層織物である。
【００１１】
（４）前記上面側緯糸が、第１上面側緯糸、第２上面側緯糸、第３上面側緯糸、第４上面側緯糸の連続配置のみの繰り返しからなることを特徴とする、上記（１）乃至（３）のいずれか一に記載された工業用二層織物である。
（５）前記第４上面側緯糸と経方向に配置された次の第１上面側緯糸の間に１本の第５上面側緯糸又は複数本の上面側緯糸を配置してなることを特徴とする、上記（１）乃至（３）のいずれか一に記載された工業用二層織物である。
【００１２】
本発明に係る織物は、構成糸として上面側緯糸と織り合わせる上面側経糸、下面側緯糸と織り合わせる下面側経糸、上層と下層を織り合わせる接結糸が存在する二層織物であり、１本または２本組になった経糸接結糸、または緯糸接結糸によって織り合わされている。
【００１３】
２本の隣接する緯糸間には、それらが離れる離間部と、寄り合う寄集部とが存在する。そして、この２本の緯糸は、離間部、フロート部、寄集部、フロート部、そして離間部という順で構成され、離間部と寄集部が存在するのである。
本発明に係る織物を構成する上面側緯糸は、連続配置する少なくとも第１上面側緯糸、第２上面側緯糸、第３上面側緯糸、第４上面側緯糸が存在し、第１，２，３，４，１，２，３，４上面側緯糸のように繰り返される。
【００１４】
離間部の構造は、連続配置する３本の経糸がそれぞれ第２上面側緯糸の上、第３上面側緯糸の上、第２上面側緯糸の上に順列配置された緯糸１本分のナックルを形成する組織である。離間部では２本の緯糸が縦方向に離れ広がるため、その上下に広がるための空間が必要である。それ故、第１上面側緯糸と第４上面側緯糸は、離間部と隣接するところでは動きやすいように、複数本の経糸の上を通るクリンプを形成する組織にする必要がある。このクリンプ部は織り合わせ箇所がなく移動しやすいため、離間部を形成するために第２、第３上面側緯糸が広がるのを妨げない。仮に、第１、第４上面側緯糸が平織組織のように織り合わせ部を有する組織であったら、経糸緯糸が強固に織り合わされているため移動しにくくなり、第２、第３上面側緯糸の縦方向への広がりを抑止することになる。
【００１５】
第２上面側緯糸は、離間部において１本の経糸の下、上、下の順に通る組織であり、緯糸のクリンプの上に１本の経糸が存在するものの、１本の緯糸により２本の経糸を織り合わせようとしているためそれらは寄り合おうとし、その結果、離間部を構成する３本の経糸は密着し合う傾向にある。
【００１６】
そして離間部の両側では、第２上面側緯糸と第３上面側緯糸が揃って２本以上の経糸の上を通るクリンプを形成するフロート部が形成されている。次いでフロート部の隣に、１本の経糸が第２上面側緯糸と第３上面側緯糸の上を続けて通り、その片側隣又は両側隣の１本又は２本の経糸は第２上面側緯糸または第３上面側緯糸のどちらか一方の上を通る組織とした。それにより第２上面側緯糸と第３上面側緯糸が寄り集まる寄集部が形成される。
フロート部は離間部で広がった緯糸が寄集部で集まりやすく（糸が移動しやすく）するために必要である。
このようにして本発明に係る織物は、隣接する２本の上面側緯糸が離れる部分と寄り集まる部分が交互に存在するような構造となっている。
【００１７】
次に離間部を構成する３本の経糸の構造を、図１に則して説明する。離間部において、１本目の経糸と２本目の経糸のナックルがそれぞれ斜めの関係で配置されており、２本目と３本目も斜めの関係で配置されている。それ故、ナックル同士が反発することによって、第２上面側緯糸と第３上面側緯糸は離れようとする。
【００１８】
図１に示すように、経糸５，６，７は緯糸２，３，２の上に左から順にナックルを形成している。まず、経糸５，６，７が寄り合って一塊になる作用について説明する。１本の緯糸３が経糸５と経糸７を織り合わせるため、間に経糸６が存在するものの、それらは一塊になろうと寄り合う。それにより、３本の経糸は寄り合った構造となる。
【００１９】
次いで、緯糸２，３が離れようとする作用について説明する。緯糸２，３と経糸５，６の４本の糸の交差部に着目する。
経糸５は緯糸２の上を通る交絡部で押し上げられて山になり、その両側の緯糸１，３の下を通る交絡部では谷になる。また、経糸６は緯糸３の上を通る交絡部で押し上げられて山になり、その両側の緯糸２，４の下を通る交絡部では谷になる。このように、隣接する２本の経糸と２本の緯糸からなる４つの交点で経糸、緯糸の配置を上下逆の構造とすることで、谷にある経糸は山から離れる方向（図１の矢印方向）に移動しようとするため、緯糸２の上の経糸５のナックルは図の下方向に，緯糸３の上の経糸６のナックルは図の上方向に、共に離れる方向に動くことになり、それに伴い織り合わされている緯糸２，３もそれぞれ広がっていくことになる。
【００２０】
同様に緯糸２，３と経糸６，７の４本の糸の交差部に着目する。
経糸６は緯糸３の上を通る交絡部で押し上げられて山になり、その両側の緯糸２，４の
下を通る交絡部では谷になる。また、経糸７は緯糸２の上を通る交絡部で押し上げられて山になり、その両側の緯糸１，３の下を通る交絡部では谷になる。このように、隣接する２本の経糸と２本の緯糸からなる４つの交点で経糸、緯糸の配置を上下逆の構造とすることで、谷にある経糸は山から離れる方向（図１の矢印方向）に移動しようとするため、緯糸２の上の経糸７のナックルは図の下方向に，緯糸３の上の経糸６のナックルは図の上方向に、共に離れる方向に動くことになり、それに伴い織り合わされている緯糸２，３もそれぞれ広がっていくことになる。
【００２１】
このように、緯糸２と緯糸３は経糸５，６、そして６，７の２箇所で互いに緯糸２，３を離そうとする力が働くため離間部が形成される。さらに、この離れようとする側にはロングクリンプを形成する緯糸１，４が存在する。経糸と緯糸の織り合わせ部はそれらが互いに絡み合っているため糸の移動がおきにくいが、ロングクリンプ構造であれば経糸と緯糸が単に重なっているだけなのでそれは比較的動きやすい。緯糸２，３が広がろうとする側にその動きやすい緯糸が存在すれば緯糸２，３の動きに連動して緯糸１，４も移動するため、２本の緯糸が離れる離間部を形成する。
ここでいうロングクリンプは、離間部を形成している経糸の上には緯糸とのナックルを形成してはならないため、緯糸１，４は少なくとも離間部を構成する経糸５，６，７の上を通ったクリンプを形成する組織とする必要がある。
【００２２】
次に本発明に係る織物における離間部を構成するための連続配置する経糸について説明する。連続配置する経糸には、１つの経糸の組と１つの経糸接結糸の組からなる１本の上面側経糸と２本の経糸接結糸からなるもの、２つの経糸の組と１つの経糸接結糸の組からなる２本の上面側経糸と１本の経糸接結糸からなるもの、３つの経糸の組からなる３本の上面側経糸が隣接したもの等がある。３本の経糸といっても経糸接結糸を構成糸とする場合、意匠図上では２列分（経糸の組を２組）の場合や、３列分（経糸の組を３組）の場合がある。
３組から成る３本の経糸の場合、離間部が横広がりになり、その影響でフロート部が短くなってしまう場合には、緯糸が広がったり、閉じたりする動きが小さくなり、本発明で目的とする均一で良好な脱水性を得ることができなくなることもある。その分、フロート部を長くすれば問題は解決する。
最も好ましい例としては、図６の１段目、２段目に示すように経糸の組と経糸接結糸の組からなる２組３本の経糸、または２組の経糸接結糸の組からなる３本の経糸によって構成するのが好ましい。なお、図６中、太枠は２本目の経糸ナックル（中央のナックル）が存在する部位を示している。
【００２３】
更に、２本の緯糸が離間部と寄集部を連続して形成するためには、その間の構造を織り合わせのないフロート部とする必要がある。フロート部は２本以上の経糸の上を通る組織とする。ここでいう２本とは経糸の組が２組という意味である。
前記と同様にフロート部は移動しやすい構造であるため、離間部の広がった位置から寄集部の集まった位置に移動しやすいように、その間に織り合わせ部を形成すべきでない。このフロート部を形成することも離間部と寄集部の両方を形成するための他の条件となる。
【００２４】
寄集部では、１本の経糸が第２上面側緯糸と第３上面側緯糸の両方の上を通る部分を有するため、それらは一塊になり寄り集まる。さらに、その隣の経糸は第２上面側緯糸または第３上面側緯糸のどちらか一方の上を通る組織である。経糸が１本の緯糸の上を通ったところでは、緯糸はより層内に引き込まれて経糸のナックルは低くなる。
寄集部は離間部に比べ糸が集まっているためその部分の脱水性、通気性が悪くなるのは否めない。しかし、本発明のように寄集部を構成する糸の高さが異なれば表面上の網目が閉塞していても、斜めのろ水空間が形成されるため脱水性を阻害することはない。
【００２５】
寄集部は、１本の経糸が第２上面側緯糸と第３上面側緯糸の上を続けて通り、その片側隣または両側隣の１本または２本の経糸が第２上面側緯糸または第３上面側緯糸のどちらか一方の上を通る組織とすればよい。特に、１本の経糸が第２上面側緯糸と第３上面側緯糸の両方の上を通り、その隣の経糸が第２上面側緯糸または第３上面側緯糸のどちらか一方の上を通る組織とするのが好ましい。寄集部における配置順序は自由に選択できる。また、寄集部を形成する経糸は上面側経糸であっても、経糸接結糸であっても構わない。
それらの例を図５に示した。図６と同様に×は上面側経糸（ｕ）が上面側緯糸の上側に位置してナックルを形成していることを示し、◆は経糸接結糸（Ｂ）が上面側緯糸の上側に位置してナックルを形成していることを示す。このように寄集部を３本の経糸によって構成した組織であっても構わなく、１本の経糸は２本の緯糸の上を通り、もう１または２本の経糸は第２上面側緯糸と第３上面側緯糸のどちらか一方の上側にナックルが多く形成された組織であれば特に限定されない。また、この経糸としては上面側経糸（ｕ）であっても、経糸接結糸（Ｂ）であっても構わない。
【００２６】
本発明に係る織物の上層を形成する経糸は上面側経糸であり、経糸接結三重織の場合は上面側経糸の他に経糸接結糸も構成糸となる。
上層と下層は１本または２本組になった経糸接結糸、または緯糸接結糸によって織り合わされているが、上面側経糸と下面側経糸が上下に重なっている部分では上下経糸の組を形成しており、経糸接結糸が存在する場合には、２本の経糸接結糸、上面側経糸と経糸接結糸、下面側経糸と経糸接結糸のいずれかの経糸接結糸の組を形成している。また、組を形成せず単独で経糸接結糸を配置した構造も含む。
【００２７】
本発明に係る織物において、第１上面側緯糸、第２上面側緯糸、第３上面側緯糸、第４上面側緯糸が連続配置しているが、第２上面側緯糸と第３上面側緯糸は実質的に離間部と寄集部を構成するための糸であり、第１上面側緯糸と第４上面側緯糸は離間部を形成するために作用する糸である。少なくともこれらの緯糸が存在していれば離間部と寄集部を形成することができるが、その他に第４上面側緯糸と次の第１上面側緯糸の間に１本の第５上面側緯糸、または複数本の上面側緯糸を配置しても構わない。例えば、第４上面側緯糸と同じ組織あるいは異なる組織の緯糸を第４上面側緯糸の隣りに第５上面側緯糸として配置し、第１，２，３，４，５，１，２，３，４，５上面側緯糸と繰り返した組織としてもよい。
【００２８】
下面側組織については特に限定はないが、摩耗対策用としては下面側緯糸をロングクリンプ構造にするとよい。例えば、下面側緯糸が２本の経糸の上を通り、６本の経糸の下を通ってロングクリンプを形成する組織、その他には２本の経糸が引き揃って平織を形成する畝織組織等でも構わない。
【００２９】
本発明に係る織物に使用される糸は用途によって選択すればよいが、例えば、モノフィラメントの他、マルチフィラメント、スパンヤーン、捲縮加工や嵩高加工等を施した一般的にテクスチャードヤーン、バルキーヤーン、ストレッチヤーンと称される加工糸、あるいはこれらを撚り合わせる等して組み合わせた糸が使用できる。また、糸の断面形状も円形だけでなく四角形状や星型等の短形状の糸や楕円形状、中空等の糸が使用できる。また、糸の材質としても、自由に選択でき、ポリエステル、ポリアミド、ポリフェニレンサルファイド、ポリフッ化ビニリデン、ポリプロピレン、アラミド、ポリエーテルエーテルケトン、ポリエチレンナフタレート、ポリテトラフルオロエチレン、綿、ウール、金属等が使用できる。もちろん、共重合体やブレンド品、さらにこれらの材質に目的に応じてさまざまな物質を含有させた糸を使用しても良い。
【００３０】
抄紙用ワイヤーとしては種々の材料を用いることができるが、一般的には上面側経糸、
下面側経糸、経糸接結糸、上面側緯糸には剛性があり、寸法安定性に優れるポリエステルモノフィラメントを用いるのが好ましい。また、耐摩耗性が要求される下面側緯糸にはポリエステルモノフィラメントとポリアミドモノフィラメントを交互に配置する等、交織することにより剛性を確保しつつ耐摩耗性を向上することができ好ましい。緯糸接結糸としてはポリアミドを使用すれば内部摩耗対策となる。
【００３１】
構成糸の線径としては、上面側緯糸は下面側緯糸より小径である方が表面平滑性、繊維支持性等の問題から好ましく、経糸の線径については適宜選択でき、全ての経糸を同線径としても、下面側経糸をその他の経糸より大径としてもよく、適宜選択できる。
【発明の効果】
【００３２】
本発明は、隣接する緯糸同士が離れる離間部と、寄り合う寄集部を横方向に交互に有する織物であっても、斜め方向の脱水空間を有する構造としたため、網目の閉塞を発生させることなく、織物全体として均一な脱水性、繊維支持性及び表面平滑性を得ることができる。
【発明を実施するための最良の形態】
【００３３】
以下、本発明に係る実施形態について図面を参照して説明する。
図１は上記で説明した通り、第１，２，３，４上面側緯糸である緯糸１，２，３，４と、経糸５，６，７が織り合わされて形成された離間部の平面図である。そして、図２は本発明の実施例の意匠図を縦に２つ繋げたものである。図３は図２の意匠図を元に製織した織物の上面側の平面写真である。図４は図２の意匠図に示す経糸１−８の断面図である。図５は、本発明に係る織物における寄集部の例示を示す意匠図で、図６は、本発明に係る織物における離間部の例示を示す意匠図である。
ここで意匠図とは、織物組織の最小の繰り返し単位（完全組織ともいう）であって、この完全組織が上下左右に繋織されて織物全体の組織が形成される。意匠図において、経糸はアラビア数字、例えば１，２，３・・・で示した。また上下緯糸を織り合わせる経糸接結糸はＢを付した数字、上面側経糸はｕを付した数字、下面側経糸はｄを付した数字で表した。意匠図中、同番号の経糸はそれぞれ組を形成していることを表し、図２においては上面側経糸ｕと経糸接結糸Ｂ，ｂとで経糸接結糸の組を形成しており、上面側経糸ｕと下面側経糸ｄとで上下経糸の組を形成している。
緯糸はダッシュを付したアラビア数字、例えば１’，２’，３’・・・で示した。緯糸の配置比率によって上面側緯糸と下面側緯糸が上下に配置されている場合と上面側緯糸のみの場合があり、上面側緯糸はｕを付した数字、下面側緯糸はｄを付した数字で示し、例えば１’ｕ，２’ｄ等と示した。
【００３４】
意匠図中、×は上面側経糸（ｕ）が上面側緯糸の上側に位置してナックルを形成していることを示し、□は下面側経糸（ｄ）が下面側緯糸の下側に位置してナックルを形成していることを示す。◆は経糸接結糸（B）が上面側緯糸の上側に位置してナックルを形成し
ていることを示し、◇はその経糸接結糸（B）が下面側緯糸の下側に位置してナックルを
形成していることを示す。▲は経糸接結糸（ｂ）が上面側緯糸の上側に位置してナックルを形成していることを示す。
意匠図では糸が上下に正確に重なって配置されることになっているが、これは図面の都合上であって実際の織物ではずれて配置されていることがある。
図３と図４には離間部と寄集部をわかりやすくマークしてあり、離間部をＩ、フロート部をII、寄集部をIII、クリンプ部をIVで示した。
【００３５】
（実施形態１）
図２は本発明に係る実施形態１の織物の意匠図である。上面側経糸（ｕ）と経糸接結糸（Ｂ）からなる経糸接結糸の組（２，４，６，８）と、上面側経糸（ｕ）と下面側経糸（
ｄ）からなる経糸の組（１，３，５，７）が交互に配置した１６シャフトの織物である。上面側緯糸と下面側緯糸の配置比率は２：１である。
【００３６】
図２は意匠図を縦に２つ繋げており、上方は離間部と寄集部を形成する実際の緯糸の挙動を点線で示してある。図３の上面側表面の写真には第１，２，３，４上面側緯糸を示しており、離間部Ｉ、フロート部II、寄集部III、クリンプ部IVをそれぞれ点線で示してあ
る。
本実施形態において、離間部を構成する連続配置された経糸とは、図２の意匠図の緯糸２’ｕ，３’ｕの場合では、経糸の組１と経糸接結糸の組２からなる、上面側経糸１ｕ，上面側経糸２ｕ，経糸接結糸２Ｂであり、第１，２，３，４上面側緯糸は、１’ｕ，２’ｕ，３’ｕ，４’ｕと、５’ｕ，６’ｕ，７’ｕ，８’ｕで示してある。
【００３７】
緯糸２’ｕ，３’ｕにおいては、離間部（図３のＩ）は連続配置する上面側経糸１ｕ，上面側経糸２ｕ，経糸接結糸２Ｂの３本が、それぞれ第２上面側緯糸２’ｕの上、第３上面側緯糸３’ｕの上、第２上面側緯糸２’ｕの上の順にそれぞれ緯糸１本分のナックルを形成する組織とした。そして、第２上面側緯糸２’ｕと第３上面側緯糸３’ｕを挟むように両側に配置している第１上面側緯糸１’ｕ、第４上面側緯糸４’ｕは離間部の横では、離間部を構成する経糸とは織り合わせることなく、複数本の経糸の上を通ってクリンプ部（図３のIV）を形成している。
【００３８】
離間部では、第２、第３上面側緯糸２’ｕ，３’ｕが離れ広がるため、その両側に広がるための空間が必要で、それ故、第１上面側緯糸と第４上面側緯糸は、離間部と隣接するところでは動いて空間を作りやすいように、複数本の経糸の上を通るクリンプを形成する組織にしている。このクリンプ部は織り合わせ箇所がないため移動しやすく、離間部を形成するために第２、第３上面側緯糸が広がるのを妨げない。
【００３９】
そして、離間部の両側では、第２上面側緯糸と第３上面側緯糸が揃って経糸３，４の上を通るフロート部を形成している（図３のII）。クリンプ部同様、フロート部は織り合わせがなく移動しやすい構造であるため、離間部の広がった位置から寄集部の集まった位置に移動しやすい。
【００４０】
フロート部とフロート部の間に寄集部（図３のIII）が構成されている。上面側緯糸２
’ｕ，３’ｕにおいては、上面側経糸５ｕが上面側緯糸２’ｕ，３’ｕの上を続けて通り、その隣の上面側経糸６ｕは上面側緯糸３’ｕのみの上を通る組織である。
上面側経糸５ｕが上面側緯糸２’ｕ，３’ｕの両方の上を通るため、それらは寄せ集められ一塊になる。そして、その隣の上面側経糸６ｕが上面側緯糸３’ｕの上を通る部分では、上面側緯糸緯糸３’ｕだけがより層内に引き込まれ上面側経糸５ｕのナックルよりも沈む。
寄集部のように糸が集まっている部分では離間部のように大きな目開きがある部分に比べ脱水性、通気性が悪くなるのは否めないが、本発明のように寄集部を構成しているナックルの高さが異なれば、斜めのろ水経路が形成されるため脱水性を阻害することはない。
【００４１】
下面側組織は下面側緯糸が１本の経糸の上、４本の経糸の下、１本の経糸の上、２本の経糸の下を通る組織である。本実施形態においては、経糸接結糸も下面側では下面側経糸と同じように機能し、組織を形成している。
【図面の簡単な説明】
【００４２】
【図１】第１，２，３，４上面側緯糸と経糸５，６，７が織り合わされた寄集部の説明図である。
【図２】本発明に係る実施形態１の完全組織を示す意匠図である。
【図３】図２の上面側表面の写真である。
【図４】本発明に係る織物における経糸に則した断面図である。
【図５】本発明に係る織物における寄集部の例示を示す意匠図である。
【図６】本発明に係る織物における離間部の例示を示す意匠図である。
【符号の説明】
【００４３】
１ｕ，２ｕ・・・  上面側経糸
２ｄ，４ｄ・・・  下面側経糸
１Ｂ，３Ｂ・・・  経糸接結糸
１’ｕ，２’ｕ・・・  上面側緯糸
１’ｄ，３’ｄ・・・  下面側緯糸
【図１】
2010126848.tif 000003
【図２】
2010126848.tif 000004
【図３】
2010126848.tif 000005
【図４】
2010126848.tif 000006
【図５】
2010126848.tif 000007
【図６】
2010126848.tif 000008